(57)【要約】      （修正有）【課題】釣り針がどのような姿勢で保持部に投げつけられても、その瞬間に胴部をも保持しえるようにし、もって、保持部に引っかかっている針に繋がってハリス同士が絡まったり、針が不用意に外れたりすることのないようにし、通常の釣り針おも保持しえるようにする。【解決手段】  釣り針を保持する保持具において、釣り針が引っ掛かる保持部３が基板１表面に固定されていて、釣り針保持部３は細いモノフィラメントを綿状に絡めたマット状柔軟材よりなるとともに、基板１の裏面にマグネットシート２を固着してあるか、基板１自体をマグネットシート２により形成してある構成を採用した。【選択図】  図１
2005341948.tif 000002
【特許請求の範囲】
【請求項１】
釣り針を保持する保持具において、釣り針が引っ掛かる保持部が基板表面に固定されていて、前記釣り針保持部は細いモノフィラメントを綿状に絡めたマット状柔軟材よりなるとともに、前記基板の裏面又は基板自体に着磁してあることを特徴とする釣り針保持具
【請求項２】
前記請求項１に記載の釣り針保持具において、前記基板が磁石鉄板又はゴム磁石よりなることを特徴とする釣り針保持具
【請求項３】
前記請求項１に記載の釣り針保持具において、前記基板は、非着磁部材の裏面に薄いマグネットシートが貼り付けてある板材よりなることを特徴とする釣り針保持具
【発明の詳細な説明】
【技術分野】
【０００１】  本発明は、釣りの最中に釣り針、特にイカ釣りのような周囲に針先が多数突出している擬餌針を複数幹糸に取り付けた仕掛けに適した釣り針の保持具に関する。
【背景技術】
【０００２】  この種、釣り針保持具については、以下の参考文献に示されているように、各種のものが提案されている。
特開２００１−３３３６７８号公報に示されているように、磁石板を船べりに固定して、釣り針を磁石で吸着するものでは、擬餌針のように周囲に多数の針が突出しているものでは、針と磁石板との接触面積が過小で船の揺れや吊り上げ操作の力を受けると簡単にはずれるという問題が生じていた。
このような問題を解決するために、特開２００１−３３３６８０号公報や登録実用新案第３０１１８６７号公報には、針が引っかかり易い材質の保持部が提案されている。
しかし、この種従来の保持部は、ムートン毛地、ウレタン地あるいはゴムシートにより構成されているが、吊り上げ操作中に適切な位置や強さで針を引っ掛けることが難しく、図６に示すように、重量のある擬餌針（Ｓ）の胴部（Ｓｄ）が浮き上がって船の揺れなどで大きく揺れてハリス同士を絡ませたり、不用意に外れたりする問題が生じていた。
特に、獲物が掛かっている場合は、迅速な処理が要求されるために、引き上げた擬餌針の姿勢を整えるような操作を行うには極めて高度な技能を要し、一般的には不可能であった。
【参考文献】
特開２００１−３３３６７８号公報
【参考文献】
特開２００１−３３３６８０号公報
【参考文献】
登録実用新案第３０１１８６７号公報
【発明の開示】
【０００３】  本発明は、このような実情にかんがみなされたものである。
【発明が解決しようとする課題】
【０００４】  本発明は、擬餌針などの釣り針を放り投げても保持部に瞬間に保持し、船の動揺などでも容易に離れないが、必要なときは簡単に保持部から取り外すことができるようにするとともに擬餌針以外の釣り針をも固定しえるようにすることを課題とした。
【課題を解決するための手段】
【０００５】  本発明は、釣り針を保持する保持具において、釣り針が引っ掛かる保持部が基板表面に固定されていて、前記釣り針保持部は細いモノフィラメントを綿状に絡めたマット状柔軟材よりなるとともに、前記基板の裏面又は基板自体に着磁してあることを特徴とする構成を採用した。
【発明の効果】
【０００６】  細いモノフィラメントがランダムに絡み合ってできた綿状の層は、針が突入するとフィラメント間にこれを挟み込み保持すると共に、疑似針が衝突しても、マット状柔軟材よりなる保持部は、その衝撃を吸収してほとんど反発せずに抱き込むように保持することとなる。
この結果、ほとんど無意識の状態で擬餌針を保持部に落下しても、これを確実に保持することができた。
また、モロフィラメントを綿状にしたので、撚糸を用いた場合のようなほちれが生じず、またスポンジやゴムを用いたときのように針が刺さった箇所が脆くなるという問題もない。
よって、繰り返し使用しても保持部は劣化しない。
また、モロフィラメントを用いることで、水切れが良くなり、使用後の清掃に当たっても乾燥時間を短縮できる利点がある。
【０００７】  さらに、マグネットシートを有していることより、前記綿状の保持部を下に向けて、船べりなどに固定することにより、マグネットシートが上面に位置するようになるので、疑似針以外の扁平な釣り針を磁性により吸着保持することができるようになった。
この結果、針の形状にかかわらず、これを保持することができるようになった。
さらに、前記保持部が綿状であるので、マグネットシートが上面に位置する場合でもその可撓性によって、船べりなどになじんで保持させることができ、安定して釣り針を吸着保持することができた。
【発明の効果】
【０００８】  このようにすることにより、前記第一発明の有する作用効果とともに、擬餌針より突出した針が保持部に引っ掛けられた状態では、その周辺にあるかまぼこ型の保持部が擬餌針側に突出するかたちになる。
この結果、針の近くにある擬餌針の胴部を保持部が抱き込むように保持するので、擬餌針は保持部に引っ掛かったとたんに、針と胴部の２箇所で保持されることとなる。
この対応は、擬餌針の姿勢が左右に傾斜したり、保持部の上下に変位しても同様に作用するので、擬餌針の姿勢を整えることなく保持部に引っ掛けるのみで、擬餌針を確実に保持することができるようになった。
【発明を実施するための最良の形態】
【０００９】  以下に、本発明の最良の実施形態を例示するが、本発明はこれによって限定されるものではない。
【実施例１】
【００１０】  本実施例の保持具は以下のように構成してある。
合成ゴムからなる短冊状の基板（１）の裏面に着磁した磁性粉末を樹脂内に練り込んで成型したマグネットシート（２）を接着剤により貼り付けてある。
前記基板（１）の表面には合成樹脂からなる細いモノフィラメント（０．３ｍｍ以下、好ましくは０．１から０．０３ｍｍ程度の太さ）を綿状に絡めた短冊型のマット状柔軟材よりなる保持部（３）が接着剤により固定してある。
この保持部（３）の一端部は、相当の長さにわたって圧縮溶融加工した薄厚の固定部（４）が形成してある。
このようにして、固定部（４）を、万力（Ｍ）や竿受け（図外）等により、船べり（Ｂ）に固定することができるようにしてある。
図１に示すように、前記保持部（３）を上に向けて固定した場合は、擬餌針（Ｓ）をその柔軟性により抱き込んで保持することができる。
前記保持部（３）は擬餌針が落下しても、針が保持部（３）に引っかかると共に落下衝撃を吸収して跳ね上がりを極小さいものにしたので、釣り上げ中などに獲物がかっていない擬餌針をほとんど無意識に保持部（３）に落としても、これを確実に保持することができた。
又、図２に示すように、前記マグネットシート（２）を上に向けて固定した場合は、平坦な釣り針（Ｎ）を吸着保持することができる。
この場合、前記保持部（３）がクッションの役割をはたし、前記マグネットシート（２）への船べり（Ｂ）からの振動の伝播を緩和し、吸着した釣り針（Ｎ）の振動による脱落を防止する。
保持部（３）の厚さは、５ｍｍから３０ｍｍ程度あれば良いが、薄すぎると擬餌針（Ｓ）の落下衝撃を吸収できなくなる。
なお固定部（４）に形成した丸穴（５）は、ソリッド竿受け（図外）を使用するときに、その竿受けの下端部をこの丸穴（５）を通して船べりの竿受け孔（図外）に通し、ソリッド竿受けと船べり（Ｂ）との間で前記固定部（４）を保持するためのものである。
【実施例２】
【００１１】  本実施例は、前記実施例１の固定部（４）のような保持部（３）を圧縮加工しないものである。
また、基板（１ａ）にゴム磁石を用い、実施例１のマグネットシート（２）を不要としたものである。
固定部（４ａ）は、保持部（３ａ）と同様な厚さを有しているが、当該保持部（３ａ）は柔軟な綿状体であるから、万力（Ｍ）で挟み込むと容易に圧縮され、船べり（Ｂ）に固定するのに何ら支障がない。
【実施例３】
【００１２】  本実施例は、図４で示すように保持部（３ｂ）をかまぼこ型に形成した点に特徴がありその他は、前記実施例１と同様である。
このように、かまぼこ型にすることにより、擬餌針（Ｓ）を投げつける角度により幅を持たせることができ、釣り人の姿勢による制限（投げつける角度など）をよりルーズにしても確実に擬餌針（Ｓ）を保持することができた。
【その他】
【００１３】  保持部（３）を構成するモノフィラメントとしては、ナイロン、ビニロン、ポリプロピレン、塩化ビニル等の合成樹脂製が適している。撚糸を使用すると、引っ掛かった針を外すにあたり毛羽立ちが生じたり、撚糸を崩すなどにより耐久性が劣化するが、モノフィラメントではこのような問題がないので長期にわたり繰り返し使用することができた。
【００１４】  保持部（３）の表面にウレタン系の接着剤を薄めて塗布し、表面のみフィラメント同士を接着して、柔軟性を損なわない程度に表面の保形性を高めるのも良い。
このようにすることで、針の抜き刺しによる変形を防止し、耐久性を増すことができた。
基板前記固定部（４）は、前記保持部（２）の一端部を圧縮加工して形成したが、当該箇所のマット状態を切除して、保持部（４）を形成してもよい。
【００１５】  前記基板（１）をゴム磁石に代わり着磁した薄い鉄板を用いても、上記作用効果は同様に発揮することができた。
【産業上の利用可能性】
【００１６】  本発明は、釣り針の保持具に関するものであるが、特に擬餌針（Ｓ）を多数幹糸の取り付けた仕掛けを使用して釣りを行うときに極めて有効に利用できるのみならず、磁石による扁平な釣り針の吸着保持に当たっても、吸着状態を安定して維持するのに有用である。
【図面の簡単な説明】
【図１】  実施例１を示す斜視図
【図２】  図１の保持具を上下反転して固定した状態を示す斜視図
【図３】  実施例１の拡大右側面図
【図４】  実施例２を示す斜視図
【図５】  図４の保持具を上下反転して固定した状態を示す斜視図
【図６】  実施例３を示す斜視図
【符号の説明】
【００１７】  （１）（１ａ）基板
（２）マグネットシート
（３）（３ａ）（３ｂ）保持部
（４）（４ａ）固定部
（５）（５ａ）丸穴
（Ｓ）擬餌針
（Ｎ）扁平な釣り針
（Ｍ）万力
（Ｂ）船べり
【図１】
2005341948.tif 000003
【図２】
2005341948.tif 000004
【図３】
2005341948.tif 000005
【図４】
2005341948.tif 000006
【図５】
2005341948.tif 000007
【図６】
2005341948.tif 000008